(57)【要約】  ランプ賦活用の直流電流電源と共に使用する装置が提供される。本装置には、電源に選択的に接続されてランプに電流を提供する複数の入力チャネルが含まれる。本装置には、入力チャネルに接続した相当する電流検出コンポーネントと、該電流検出コンポーネントに並列接続した相当するバイパススイッチと、が含まれる。各電流検出コンポーネントが、相当する入力チャネルの提供する電流の関数としての測定可能信号を生成する。本装置には、電流検出コンポーネント及びバイパススイッチに接続したコントローラが含まれる。該コントローラは、ランプに電流を提供する入力チャネルを測定可能信号の関数として識別し、識別した入力チャネルに基づきバイパススイッチを制御する。詳しくは、コントローラは、識別した入力チャネルが相当する入力チャネルである場合はバイパススイッチを閉モードで動作させ、相当する識別された入力チャネルの提供する電流をして電流検出コンポーネントをバイパスさせる。
2011518069.tif 000002
【特許請求の範囲】
【請求項１】
ランプ賦活用の直流電流電源と共に使用する装置であって、
第１及び第２の各入力チャネルにして、各々が選択的に前記電源に接続されることによりランプを賦活させる電流を該ランプに提供する第１及び第２の各入力チャネルと、
電源とランプとの間で前記第２入力チャネルに接続した電流検出コンポーネントにして、第２入力チャネルの提供する電流の関数としての測定可能信号を生成する電流検出コンポーネントと、
前記電流検出コンポーネントと並列状態で前記第２入力チャネルに接続したバイパススイッチにして、開モード及び閉モードを有し、該閉モードでは前記電流検出コンポーネントをバイパスさせ且つ第２入力チャネルにより提供される電流を導伝させて前記ランプを賦活させるバイパススイッチと、
電流検出コンポーネントとバイパススイッチとに接続したコントローラにして、ランプに電流を提供中の入力チャネルを測定可能信号の関数として識別し、識別した入力チャネルに基づきバイパススイッチのモードを制御し、識別された入力チャネルが前記第２入力チャネルである場合はバイパススイッチを閉モードで動作させ、識別された入力チャネルが前記第１入力チャネルである場合はバイパススイッチを開放させるコントローラと、
を含む装置。
【請求項２】
電源に選択的に接続されてランプ賦活用の電流をランプに提供する第３入力チャネルと、
電源とランプとの間で前記第３入力チャネルに接続した追加の電流検出コンポーネントにして、前記第３入力チャネルにより提供される電流の関数としての追加の測定可能信号を生成する追加の電流検出コンポーネントと、
該追加の電流検出コンポーネントと並列で前記第３入力チャネルに接続した追加のバイパススイッチにして、開モード及び閉モードを有し、該閉モードでは前記追加の電流検出コンポーネントをバイパスさせ且つ前記第３入力チャネルの提供する電流を導伝させて前記ランプを賦活させるバイパススイッチと、
を更に含み、
前記コントローラが前記電流検出コンポーネント及びバイパススイッチと、前記追加の電流検出コンポーネント及び追加のバイパススイッチと、に接続され、前記コントローラが、ランプに電流を提供中の入力チャネルを測定可能信号及び追加の測定可能信号の関数として識別し、識別した入力チャネルに基づき、各バイパススイッチのモードを制御し、識別された入力チャネルが前記バイパススイッチに接続した入力チャネルである場合は各バイパススイッチを閉モードで動作させ、識別された入力チャネルが前記バイパススイッチに接続した入力チャネルでない場合は各バイパススイッチを開モードで動作させる請求項１に記載の装置。
【請求項３】
第１及び第２の各入力チャネルは電源に相互排他的に接続された前記ランプ賦活用電流をランプに提供し、または前記第１及び第２の各入力チャネルは電源に同時接続されて前記ランプ賦活用電流をランプに提供する請求項２に記載の装置。
【請求項４】
前記ランプが複数のランプ要素を含み、前記第１入力チャネルが電源に選択的に接続されてランプの第１組の複数の要素を賦活する電流をランプに提供し、前記第２入力チャネルが電源に選択的に接続されてランプの第２組の複数の要素を賦活する電流をランプに提供する請求項２または３に記載の装置。
【請求項５】
電源に選択的に接続されて前記ランプを賦活させる電流をランプに、または出力装置を作動させる電流を該出力装置に提供する第３入力チャネルと、
電源とランプとの間または電源と出力装置の間で前記第３入力チャネルに接続された第３電流検出コンポーネントにして、前記第３入力チャネルの提供する電流の関数としての第３測定可能信号を生成する第３電流検出コンポーネントと、
前記第３電流検出コンポーネントと並列に該第３入力チャネルに接続した第３バイパススイッチにして、開モード及び閉モードを有し、該閉モードにおいて前記第３電流検出コンポーネントをバイパスさせ且つ第３入力チャネルの提供する電流をランプに伝導させてランプを賦活させまたは出力装置を作動させる第３バイパススイッチと、
を更に含み、
前記コントローラが第１、第２、第３の各前記電流検出コンポーネント、第１、第２及び第３の各前記バイパススイッチ、に接続され、該コントローラが、電流を提供する入力チャネルを第１、第２及び第３の各測定可能信号の関数として識別し、識別した入力チャネルに基づき前記第１、第２、第３の各バイパススイッチのモードを制御し、前記識別した入力チャネルが前記バイパススイッチに接続した入力チャネルである場合は前記バイパススイッチを閉モードで動作させ、識別した入力チャネルが前記バイパススイッチに接続した入力チャネルではない場合は前記バイパススイッチを開モードに維持する請求項２、３、４の何れかに記載の装置。
【請求項６】
前記出力装置が、ワイパー制御装置、ウォッシャー装置、方向支持装置、の何れかを含み、ランプが、自動車の少なくとも１つ以上のヘッドランプを含み、前記出力装置が自動車アクセサリー用の１つ以上のランプである請求項５の装置。
【請求項７】
第１電流検出コンポーネントが、抵抗器、ダイオード、変換器、である電流検出コンポーネント形式の少なくとも１つを含むこと、第２電流検出コンポーネントが、抵抗器、ダイオード、変換器、である電流検出コンポーネント形式の少なくとも１つを含むこと、前記第１及び第２の各電流検出コンポーネントが、前記ダイオードの陰極側を電源方向に流れる電流による極反転保護を提供するダイオードを含むこと、第１バイパススイッチがｐタイプの金属酸化膜半導体電界効果型トランジスタ（ＭＯＳＦＥＴ）であり且つ第２バイパススイッチがｐタイプの金属酸化膜半導体電界効果型トランジスタ（ＭＯＳＦＥＴ）であること、ランプが自動車ヘッドランプシステムにおける高輝度放電（ＨＩＤ）ランプであること、ランプが自動車ヘッドランプシステムにおける１つ以上の発光ダイオード（ＬＥＤ）であること、第１電流検出コンポーネントが、前記第１バイパススイッチに関連する真性体ダイオードであること、前記第１電流検出コンポーネントが前記第２バイパススイッチに関連する真性体ダイオードであること、の何れかを含む請求項２〜６の何れかに記載の装置。
【請求項８】
前記第１入力チャネルがロービーム入力チャネルであり、前記第２入力チャネルがハイビーム入力チャネルであり、前記電流検出コンポーネントがロービーム電流検出コンポーネントであり、前記追加の電流検出コンポーネントがハイビーム電流検出コンポーネントであり、前記バイパススイッチがロービーム電流検出コンポーネントであり、前記追加のバイパススイッチがハイビーム電流検出コンポーネントである請求項２〜６の何れかに記載の装置。
【請求項９】
前記コントローラが第１コントローラ入力と、第２コントローラ入力と、コントローラ出力と、を含み、前記第１コントローラ入力が前記ロービーム電流検出コンポーネントに接続されてロービーム測定可能信号を受け、前記第２コントローラ入力が前記ハイビーム電流検出コンポーネントに接続されてハイビーム測定可能信号を受け、前記コントローラ出力がロービーム及びハイビームの各バイパススイッチに接続されて前記各バイパススイッチのモードを制御する単一のモード制御信号を提供し、前記装置が、コントローラとロービームバイパススイッチとの間に接続した変換コンポーネントを更に含み、該変換コンポーネントが前記ロービームバイパススイッチに提供されるモード信号を変換する請求項８の装置。
【請求項１０】
前記変換器とロービームバイパススイッチとの間に接続され、前記変換されたモード制御信号を調節して前記コントローラを介してロービームバイパススイッチに提供するロービーム過電圧保護コンポーネントと、
前記コントローラとハイビームバイパススイッチとの間に接続され、前記変換されたモード制御信号を調節して前記コントローラを介してハイビームバイパススイッチに提供するハイビーム過電圧保護コンポーネントと、
を更に含む請求項９の装置。
【発明の詳細な説明】
【技術分野】
【０００１】
本発明は、一般に照明システムと共に使用する入力チャネル検出装置に関する。詳しくは本発明は、自動車のヘッドランプシステムと共に使用する検出装置に関する。
【背景技術】
【０００２】
最新のヘッドランプシステムには、バッテリー（広い意味で電源）ユーザーによるハイ及びローのビーム動作モード間の選択を可能にする入力選択スイッチ、ハイビーム入力チャネル、ロービーム入力チャネル、１つ以上のヘッドランプ（例えば、ドライバ側及びパッセンジャー側の各ヘッドランプ）、が含まれる。各ヘッドランプはロー及びハイの各ランプエレメントを有する。ユーザーが入力切替スイッチでロービーム動作モードを選択するとロービーム入力チャネルがバッテリーに接続され、ロービームランプエレメントを賦活させる電流がヘッドランプに提供される。
【０００３】
最新型ヘッドランプシステムに電子制御式電源モジュールを使用する場合は、ヘッドランプが適宜ハイまたハローの各ビームモードで動作し得るよう、入力電力の供給チャネルを検出する検出装置を使用する必要がある。例えば、各入力チャネルにＯ−リングダイオードまたは抵抗器を挿入し得る。各ダイオードまたは抵抗器の給電側の電圧をモニタすれば給電中のラインが分かる。しかし、それら検出機器の追加でかなりの電力損失を招く。
【発明の概要】
【発明が解決しようとする課題】
【０００４】
直流電源照明システム用の低損失型入力チャネル検出装置を提供することである。
【課題を解決するための手段】
【０００５】
本発明によれば、光源賦活用に選択した入力電力供給チャネル検出に関わる電圧低下及び電力損失を最小化することにより、多重入力型照明システムの効率を改善する直流電源照明システム用の低損失型入力チャネル検出装置が提供される。
【図面の簡単な説明】
【０００６】
【図１】図１は、本発明に従う、照明システムで使用する、ランプ賦活用の検出装置のブロックダイヤグラム図である。
【図２】図２は、本発明に従う、照明システムで使用する、ランプ賦活用の検出装置のブロックダイヤグラム図である。
【図３】図３は、本発明に従う、照明システムで使用する、ランプ賦活用の検出装置のブロックダイヤグラム図である。
【図４】図４は、本発明に従う、ヘッドランプシステムで使用する、ヘッドランプ賦活用の検出装置の回路ダイヤグラム図である。
【図５】図５は、本発明に従う、発光ダイオード（ＬＥＤ）ヘッドランプ賦活用のヘッドランプシステムと組み合わせる検出装置の回路及び回路ブロックの各ダイヤグラム図である。
【発明を実施するための形態】
【０００７】
本発明の実施例には、光源（以下、“ランプ”）を賦活させるべく選択された給電チャネル（広い意味で“入力チャネル”）検出用の、自動車のヘッドランプシステム等の照明システムと共に使用する装置（以下、”検出装置”）が含まれる。検出装置は、給電チャネル検出に際して生じ得る電圧低下及び電力損失を最小化する構成を有する。また、検出装置のある実施例では当該検出装置の各コンポーネントのための極性反転保護及び過電圧保護が提供される。
【０００８】
図１、２、３を参照するに検出装置が、ＤＣ電源、入力選択スイッチ、複数の入力チャネル（チャネル１〜チャネルＮ）、ランプ、を有する照明システムと共に使用されている。入力選択スイッチは、ユーザーによる入力チャネル選択を可能とするユーザーインターフェースを備え得る。入力選択スイッチは電源を複数の入力チャネルの選択した１つに接続する。選択された入力チャネルはランプに電力を提供してランプを賦活させる。照明システムの入力チャネルとランプとの間には、選択した入力チャネルを介してランプへの給電量を調節するドライバも接続される。
【０００９】
例えば、照明システムはハイまたはローの各ビームモード下に動作され得る自動車のヘッドランプシステムであり得る。ヘッドランプシステムには、バッテリー（広い意味で電源）、ユーザーによるハイ及びローの各ビーム動作モード選択を可能とする入力選択スイッチ、ハイビーム入力チャネル、ロービーム入力チャネル、１つ以上のヘッドランプ（例えば、ドライバ側及びパッセンジャー側の各ヘッドランプ）、が含まれる。各ヘッドランプは１つ以上のロービームランプ要素（“ロービームランプ要素”）と、１つ以上のハイビームランプ要素（“ハイビームランプ要素”）とを有する。例えば、各ヘッドランプは１つ以上の発光ダイオード（ＬＥＤ）または高輝度放電ランプであり得る。ユーザーが入力選択スイッチを介してハイビーム動作モードを選ぶとハイビーム入力チャネルがバッテリーに繋がれて電流がヘッドランプに流れ、ハイビームランプ要素が賦活される。同様に、ユーザーが入力選択スイッチでロービーム動作モードを選ぶとロービーム入力チャネルがバッテリーに繋がれてヘッドランプに電流が送られ、ロービームランプ要素が賦活される。
【００１０】
図１には本発明の１実施例に従う、ランプ賦活用の照明システムと共に使用する検出装置１００が例示される。都合上、検出装置１００は第１入力チャネル（チャネル１として例示される）と、第２入力チャネル（チャネルＮとして例示される）とを含むものとして例示される。しかしながら、検出装置１００は２つ以上の入力チャネルを含み得、特定数の入力チャネルを有する構成には限定されない。第１及び第２の各入力チャネルは、ランプ１０８に電流を提供して当該ランプ１０８を賦活する電源１０２に入力選択スイッチ１０４を介して相互排他的に接続される。詳しくは、第１入力チャネルを電源１０２に接続してランプ１０８に電流を送るとランプ１０８を第１動作モードで動作させ得、あるいは、第２入力チャネルを電源１０２に接続してランプ１０８に電流を送るとランプ１０８を第２動作モードで動作させ得る。ある実施例では、照明システムの入力選択スイッチ１０４は、両入力チャネルを電源１０２から断続させてランプ１０８に電流が流れないようにし、ランプ１０８を“オフ”モードにする追加的構成を有し得る。
【００１１】
電流検出コンポーネント１１０が、電源１０２と、ランプ１０８との間で第２入力チャネル等のすくなくとも１つの入力チャネルに接続され、当該第２入力チャネルがランプドライバ１０６に送る電流を表示する測定可能信号（即ち、関数）を提供する。ある実施例では電流検出コンポーネント１１０はダイオードであり、測定可能信号は、当該ダイオードの電源１０２において測定される電圧信号である。測定可能信号は、以下に詳しく説明するように、ランプ１０８を適宜（例えば、選択した）動作モードで動作させるための、入力チャネル（例えば第１入力チャネル、第２入力チャネル）からランプ１０８への給電法を判断する際に使用する。追加の、または代替可能な電流検出コンポーネント（例えば、抵抗器、変換器）、及び相当する測定可能信号を使用して入力チャネルを検出し得る。
【００１２】
例示実施例ではバイパススイッチ１１２が、電流検出コンポーネント１１０と並列で第２入力チャネルに結合される。ある実施例ではバイパススイッチ１１２はｐタイプの金属酸化膜半導体電界効果型トランジスタ（ＭＯＳＦＥＴ）である。電流検出コンポーネント１１０はＭＯＳＦＥＴの真性体ダイオードであり得る。他の実施例では斯界に既知のその他タイプのトランジスタまたはスイッチを使用し得る。バイパススイッチ１１２は、閉回路及び伝導の閉モードと、開回路及び非伝導の開モードとを有する。バイパススイッチ１１２は、第２入力チャネルからランプ１０８への給電が判定されない場合は開モードで動作する。バイパススイッチ１１２は、第２入力チャネルからランプ１０８への給電が判定されると閉モードで動作する。バイパススイッチ１１２は閉モードでは第２入力チャネルからの給電を電流検出コンポーネント１１０をバイパスして伝導させてランプ１０８に送る。閉モードにおいて電流検出コンポーネント１１０をバイパスさせることで、バイパススイッチ１１２は電源１０２から第２入力チャネルを介してランプ１０８に送られる電流の電圧降下及び電力消散を低減させる。バイパススイッチ１１２は開モードでは第２入力チャネルからの電流を伝導させず、かくして電流は電流検出コンポーネント１１０を介してはドライバ及びランプ１０８に送られない。
【００１３】
コントローラ１１４（例えばマイクロコントローラ、マイクロプロセッサ、プログラム可能なロジックコントローラ）が、電流検出コンポーネント１１０の電源１０２側にコントローラ１１４の入力を介して接続され、第２入力チャネル及び電流検出コンポーネント１１０により提供される電流の関数として測定可能信号をモニタ及び受信する。例えば、モニタ及び受信した測定可能信号の電圧が０ボルトまたは０ボルトに近い（あるいは、電源からの供給電圧未満のその他所定電圧）場合は、第２入力チャネルには電流が流れておらず、従って第２入力チャネルはランプ１０８に給電していないことが分かる。従って、測定可能信号の電圧が０ボルトである時はコントローラ１１４は第１入力チャネルがランプ１０８に給電中であると識別する。測定可能信号の電圧が０よりも大きい予め決定した電圧値である場合は電流は第２入力チャネルを流れ、かくして第２入力チャネルがランプ１０８に給電中であることを意味する。従って、測定可能信号値が予め決定した特定範囲内の値を有する場合はコントローラ１１４は第２入力チャネルがランプ１０８に給電中であると識別する。
【００１４】
コントローラ１１４はコントローラ出力を介してバイパススイッチ１１２に接続され、識別された入力チャネルに基づいてバイパススイッチ１１２のモードを制御する。詳しくはコントローラ１１４は、バイパススイッチ１１２のモード制御用のスイッチ制御信号をコントローラ１１４の出力を介してバイパススイッチ１１２に提供する。１実施例において、コントローラ１１４は、第２入力チャネルがランプ１０８に給電中であると判定するまで、バイパススイッチ１１２を開状態に維持する構成を有する。かくして、コントローラ１１４は、測定可能信号をモニタし、バイパススイッチ１１２にスイッチ制御信号を送り、前記測定可能信号が第２入力チャネルがランプ１０８に給電中であることを表示する（例えば、測定可能信号の電圧値が０ボルトから所定値に変化する）まで、当該バイパススイッチ１１２を開状態に維持し、当該時点でバイパススイッチ１１２に、当該バイパススイッチ１１２を閉モードで動作させるスイッチ制御信号を送信する。
【００１５】
１実施例では、コントローラ１１４は識別された入力信号を定期的に再評価する構成を有する。詳しくは、バイパススイッチ１１２が所定時間閉モードで動作していると、コントローラはバイパススイッチ１１２を一時的に開放（即ちバイパススイッチを開モードで動作させる）させて第２チャネルが尚、ランプ１０８に給電中であるかを判定する。当該一時的開モード動作中の測定可能信号がモニタされる。測定可能信号の電圧値が０ボルトに低下すると、コントローラ１１４は第２入力チャネルがもはやランプ１０８に給電していないと判定し、バイパススイッチ１１２に当該バイパススイッチ１１２を開モードで動作させる信号を送る。
【００１６】
ある実施例ではコントローラ１１４は、コントローラ１１４の他の出力を介してもランプ１０８に接続され、入力チャネルを介して、給電中のランプ１０８の動作モードを制御する。ある実施例では、第１及び第２の各チャネルがドライバを介してランプ１０８の陰極に接続され、ランプ１０８を第１及び第２の動作モードで夫々動作させるに必要な電流を提供する。コントローラ１１４は、ランプ１０８にランプ１０８制御信号を送り、当該コントローラ１１４が給電入力チャネルとして識別する入力チャネルに基づき、ランプ１０８の動作モードを表示（即ち、制御、選択）させる。例えば、ランプ１０８は、起動されると第１動作モードで動作する１つ以上の第１組のコンポーネント（例えば、ランプ１０８の単数または複数の要素、１つ以上のランプ１０８、電流リミッタ）と、起動されると第２モードで動作する第２組のコンポーネント（第１組のコンポーネントの１つ以上の要素を含み得る）とを含む。コントローラ１１４は、給電中として識別された入力チャネルに基づき、何れの組のコンポーネントで受けるかを制御するランプ１０８制御信号をランプ１０８に送る。仮に、実際は何れの入力チャネルもランプ１０８に給電していない（例えば、“オフ“モード）場合は、ランプ１０８制御信号がランプ１０８賦活用電力を提供しないことから、ランプ１０８はランプ１０８制御信号に拘わらず賦活されない。例えば、コントローラ１１４が、測定可能信号の電圧値が０ボルトであることから第１入力チャネルがランプ１０８に給電中であると識別し、制御信号を介して動作モードが第１動作モードであると表示しても、ランプ１０８は当該ランプ１０８賦活用電流を受けないので、尚、適宜の動作モード（“オフ”動作モード）で動作する。
【００１７】
ある実施例では検出装置１００は、当該バイパススイッチ１１２を動作させる制御信号を調節するべくコントローラ１１４の出力とバイパススイッチ１１２との間に接続した、例えばトランジスタ等の制御スイッチ（図示せず）を含み得る。例えば、コントローラ１１４は、バイパススイッチ１１２が開モードで動作すべきであると判定すると小電流または小電圧値の制御信号を発生し、バイパススイッチ１１２が閉モードで動作されるべきであると判定すると大電流または大電圧値の制御信号を夫々発生する構成を有し得る。制御スイッチは、前記小電流または小電圧値の制御信号を受けると開モードで動作し、前記大電流または大電圧値の制御信号を受けると閉モードで動作する。従って、バイパススイッチ１１２が開モードで動作すべきであるとコントローラ１１４が判定すると、制御スイッチは、制御信号を伝導しないため、制御信号値を０に変更させる。
【００１８】
ある実施例では検出装置１００はバイパススイッチ１１２が受ける大電圧信号（広い意味で“電気的信号”）を調整するための過電圧コンポーネント（図示せず）を含み得る。例えば、検出装置１００はバイパススイッチ１１２のコントローラ１１４側からバイパススイッチ１１２を横断してパススイッチ１１２のドライバ１０６側に接続するダイオード（例えばツエナーダイオード）を含み得る。当該ダイオードは、コントローラ１１４とスイッチとの間に生じ得る、損傷を来す恐れのある大電圧信号を受けないようバイパススイッチ１１２を保護する。
ある実施例では、第１入力ラインが、複数の動作モードでランプを賦活させる電力をランプに送るために使用され得る。第２入力ラインが、ランプの複数の動作モードの１つに従いランプが動作するようランプを制御するために使用され得る。
【００１９】
図２には、本発明の他の実施例に従うランプ１０８賦活用の照明システムと共に使用する検出装置２００の１例が示される。第１及び第２の各入力チャネルが入力選択スイッチ１０４を介して電源１０２に選択的に接続され、ランプ１０８賦活電流がランプ１０８に提供される。詳しくは、第１入力チャネルが電源１０２に接続されるとランプ１０８を第１動作モードで動作させる電流がランプ１０８に提供され、第２入力チャネルを電源１０２に接続するとランプ１０８を第２動作モードで動作させる電流がランプ１０８に提供される。
【００２０】
第１電流検出コンポーネント２０２が電源１０２とランプ１０８との間で第１入力チャネルに接続され、第１入力チャネルの提供する電流の関数としての第１測定可能信号を提供する。第２電流検出コンポーネント２０４が電源１０２とランプ１０８との間で第２入力チャネルに接続され、第２入力チャネルの提供する電流の関数としての第２測定可能信号を提供する。１実施例では、電流検出コンポーネント１１０がダイオードであり、測定可能信号は、当該ダイオードの電源１０２側で測定される電圧信号測定値である。以下に詳しく説明するように、測定可能信号はランプ１０８を適宜（例えば選択された）動作モードで動作させ得る電流がどの入力チャネル（例えば、第１入力チャネル、第２入力チャネル）から送られているかを判定（例えば、識別検出）するために用いられる。入力チャネルは、追加的または代替し得る電流検出コンポーネント（例えば、抵抗器、変換器）及び相当する測定可能信号を使用して検出し得る。
【００２１】
例示実施例では第１バイパススイッチ２０６は第１電流検出コンポーネント２０２と並列に第１入力チャネルに接続される。同様に、第２バイパススイッチ２０８は第２電流検出コンポーネント２０４と並列に第２入力チャネルに接続される。１実施例では第１及び第２の各バイパススイッチ２０６、２０８はｐタイプの金属酸化膜半導体電界効果型トランジスタ（ＭＯＳＦＥＴ）である。第１及び第２の各電流検出コンポーネントはＭＯＳＦＥＴの真性体ダイオードであり得る。他の実施例では第１及びまたは第２の各バイパススイッチは斯界に既知のその他タイプのトランジスタまたはスイッチを含み得る。各バイパススイッチ２０６、２０８は開閉の各モードを有する。第１バイパススイッチ２０６は第１入力チャネルがランプ１０８に給電していないと判定されると開モードで動作される。同様に第２バイパススイッチ２０８は、第２入力チャネルがランプ１０８に給電していないと判定されると開モードで動作される。第１バイパススイッチ２０６は、第１入力チャネルがランプ１０８に給電していないと判定されると閉モードで動作される。同様に第２バイパススイッチ２０８は、第２入力チャネルがランプ１０８に給電していないと判定されると閉モードで動作される。第１及び第２の各バイパススイッチ２０６、２０８は、第１及び第２の各入力チャネルによる給電を伝導させ、かくして電流は各電流検出コンポーネント２０２、２０４をバイパスしてランプ１０８に送られる。バイパススイッチは、電流検出コンポーネント２０２、２０４をバイパスさせることで電源１０２から各入力チャネルを介してランプ１０８に送られる際の電圧降下及び電力消散を低減させる。
【００２２】
コントローラ２１０（例えば、マイクロコントローラ、マイクロプロセッサ、プログラム可能なロジックコントローラ）が、コントローラ２１０の第１入力を介して第１電流検出コンポーネント２０２の電源１０２側に接続され、第１入力チャネル及び第１電流検出コンポーネント２０２の提供する電流の関数として生成される第１測定可能信号をモニタ及び受信する。コントローラ２１０は、該コントローラ２１０の入力を介して第２電流検出コンポーネント２０４の電源１０２側にも接続され、第２入力チャネル及び第２電流検出コンポーネント２０４の提供する電流の関数として生成される第２測定可能信号をモニタ及び受信する。例えば、第１または第２の各測定可能信号の電圧値が０ボルト（またはその他所定の、電源からの供給電圧未満の電圧）であれば、第１または第２の各入力チャネルには給電されていないことが分かる。従って、コントローラ２１０は、第１測定可能信号の電圧値が０ボルトである場合は第１入力チャネルがランプ１０８に給電していないと判定する構成を有し得る。同様に、コントローラ２１０は、第２測定可能信号の電圧値が０の時は第２入力チャネルがランプ１０８に給電していないと判定する構成を有し得る。第１及び第２の各測定可能信号の電圧値が０以上である場合は、第１または第２の各入力チャネルが給電中であることが分かる。従って、第１測定可能信号の電圧値が予め決定した第１値の特定範囲内にある場合はコントローラ２１０は第１入力チャネルがランプ１０８に給電しているとして識別する。同様に、第２測定可能信号の電圧値が予め決定した第１値の特定範囲内にある場合はコントローラ２１０は第２入力チャネルがランプ１０８に給電しているとして識別する。
【００２３】
コントローラ２１０は、当該コントローラ２１０の出力を介してバイパススイッチに連結され、識別された入力チャネルに基づいてバイパススイッチのモードを制御する。例示した検出装置２００の場合、コントローラ２１０はコントローラ２１０の第１及び第２の各出力を介して第１及び第２のバイパススイッチ２０６、２０８に夫々連結される。コントローラ２１０はコントローラ２１０の第１出力を介して第１バイパススイッチ２０６に第１スイッチ制御信号を送り、当該第１バイパススイッチ２０６のモードを制御する。同様に、コントローラ２１０はその第２出力を介して第２バイパススイッチ２０８に第２スイッチ制御信号を送り、当該第２バイパススイッチ２０８のモードを制御する。１実施例ではコントローラ２１０は、バイパススイッチに接続した入力チャネルがランプ１０８に給電中であると判定するまで、各バイパススイッチを開モードに維持する構成を有する。
【００２４】
１実施例では第１及び第２の各入力チャネルは相互排他的に電源に接続される。従って、コントローラ２１０は、第１及び第２の各測定可能信号をモニタし、第１入力チャネルがランプ１０８に給電中であることを第１測定可能信号が表示しない（例えば、第１測定可能信号の電圧値が０ボルト〜第１所定値）限り、または、第２入力チャネルがランプ１０８に給電中であることを第２の測定可能信号が表示しない（例えば、第２の測定可能信号の電圧値が０ボルト〜第１所定値）限り、各バイパススイッチ２０６、２０８に第１及び第２の各スイッチ制御信号を夫々送り、これら第１及び第２の各バイパススイッチ２０６、２０８を開モードに維持する。第１測定可能信号が第２入力チャネル給電中を表示すると、コントローラ２１０は第１バイパススイッチ２０６に第１スイッチ制御信号を送り、当該第１バイパススイッチ２０６を閉モードにする。加えて、コントローラ２１０は、第２スイッチ制御信号を第２バイパススイッチ２０８に送り、当該第２バイパススイッチ２０８を開モードとする。第１バイパススイッチ２０６及び第２バイパススイッチ２０８は、第２入力チャネルがランプ１０８に給電中であると第２測定可能信号が表示しない限り、夫々閉モード及び開モードに維持される。第２測定可能信号が第２入力チャネル給電中を表示すると、コントローラ２１０は第１スイッチ制御信号を送り、第１バイパススイッチ２０６を開モードとし、また第２スイッチ制御信号を送り、第２バイパススイッチを閉モードとする。コントローラ２１０は、当該段落中で第１入力チャネル及び第１入力チャネルコンポーネントに関して説明した動作に夫々相当する所の、第２入力チャネル及び当該第２入力チャネルに接続したコンポーネントに関する動作を実行する構成を有する。
【００２５】
他の実施例では、第１及び第２の各入力チャネルは電源に同時接続され得る。従って、コントローラ２１０は第１測定可能信号をモニタし、第１測定可能信号が第１入力チャネルがランプ１０８に給電中であると表示しない（例えば、第１測定可能信号の電圧値が０ボルト〜第１所定値）限り、第１バイパススイッチ２０６に第１スイッチ制御信号を送り、第１バイパススイッチ２０６を開モードに維持する。第１入力チャネル給電中が表示されると、コントローラ２１０は第１バイパススイッチ２０６を閉モードとする。コントローラは、識別した入力チャネルを定期的に評価する構成を有する。従って、第１バイパススイッチ２０６が所定時間閉モードで運転されているとコントローラは第１バイパススイッチ２０６を短時間開放させ（即ち、第１バイパススイッチを開モードで動作させ）、第１入力チャネルが尚、ランプ１０８に給電中であるかを判定する。第１測定可能信号は前記短時間の開モード動作中にモニタされる。第１測定可能信号の電圧値が０ボルト以下に低下すると、コントローラ１１４は第２入力チャネルがもはやランプ１０８に給電していないと判断し、第１バイパススイッチ２０６に信号を送り、当該第１バイパススイッチを開モードで動作させる。コントローラ２１０は、当該段落中で第１入力チャネル及び第１入力チャネルコンポーネントに関して説明した動作に夫々相当する所の、第２入力チャネル及び当該第２入力チャネルに接続したコンポーネントに関する動作を実行する構成を有する。
【００２６】
図３に例示した検出装置３００を参照するに、他の実施例において、コントローラ３０２が、コントローラ３０２の単一の入力を介して第１及び第２の各バイパススイッチ２０６、２０８に接続され、識別された入力チャネルに関してこれら第１及び第２の各バイパススイッチ２０６、２０８のモードを制御する。詳しくは、コントローラ３０２は、当該コントローラ３０２の出力を介して単一のスイッチ制御信号を送り、第１及び第２の各バイパススイッチ２０６、２０８を共に制御する。コントローラ３０２と第１バイパススイッチ２０６との間にはスイッチ制御信号変換用の変換器コンポーネント３０４が接続され、スイッチ制御信号を変換して第１バイパススイッチ２０６に送る。例えば、各バイパススイッチは、コントローラ３０２から低い値の制御信号を受けると開モードで動作し、高い値の制御信号を受けると閉モードで動作する構成を有し得る。従って、コントローラ３０２は第１入力チャネルが給電中であると識別すると、当該コントローラ３０２は第１値（例えば低い電流／電圧値）のスイッチ制御信号を生成する。変換器コンポーネント３０４は第１バイパススイッチ２０６に送られるスイッチ制御信号を変換する。かくして、第１バイパススイッチ２０６は高い値のスイッチ制御信号を受けると閉モードで動作する。第２バイパススイッチ２０８は第１値（例えば低い値の）のスイッチ制御信号を受けると開モードで動作する。同様に、コントローラ３０２が第２入力チャネルの給電中を表示すると、第２値（例えば高い値の電流／電圧）のスイッチ制御信号を生成する。変換器コンポーネント３０４は第１バイパススイッチ２０６に送られたスイッチ制御信号を変換する。かくして、第１バイパススイッチ２０６は低い値のスイッチ制御信号を受けると開モードで動作する。第２バイパススイッチ２０８は第２値（例えば高い値の）のスイッチ制御信号を受けると閉モードで動作する。
【００２７】
図２及び図３を参照するに、ある実施例ではコントローラ２１０、３０２もまた、コントローラの別の単数または複数の出力を介してランプ１０８に接続され、ランプ１０８がある入力チャネルを介して電流を受ける場合にランプ１０８の動作モードを制御する。１実施例では、第１及び第２の各入力チャネルはドライバ１０６を介してランプ１０８の陽極に接続され、ランプ１０８を第１または第２の各動作モードで駆動させるに要する電流を提供する。コントローラ２１０、３０２はランプ１０８に制御信号を送り、当該コントローラ２１０、３０２により給電中であるとして識別された入力チャネルに基づき、ランプ１０８の動作モードを表示（即ち、制御、選択）させる。例えば、ランプ１０８は、第１動作モードで動作するべく起動されるランプの１つ以上のコンポーネント（例えば、ランプ１０８の単数または複数の各要素、１つ以上のランプ、電流リミッタ）の第１セットと、第２動作モードで動作するべく起動されるコンポーネントの第２セット（第１セットの各コンポーネントからの１つ以上の要素を含み得る）とを含み得る。コントローラ２１０、３０２は、ランプ１０８にランプ１０８制御信号を送り、給電中であるとして識別した入力チャネルに基づき、各コンポーネントの何れのセットで電流を受けるかを制御する。仮に何れの入力チャネルも実際はランプ１０８に給電していない（例えば、“オフ”動作モード）場合はランプ１０８は、制御信号はランプ１０８賦活用電流を提供しないことから、ランプ１０８の制御信号に拘わらず賦活されない。ある実施例ではコントローラ２１０、３０２は、これらコントローラ２１０、３０２が第１及び第２測定可能信号に基づいて何れの入力チャネルも給電中ではないと判定した場合、ランプ１０８が“オフ動作モード”であることを追加的に表示し得る。
【００２８】
ある実施例では、検出装置２００、３００は、バイパススイッチを動作させる制御信号を調節するための、第１及び又は第２バイパススイッチ２０６、２０８の各々用に設けられたコントローラの各出力間に接続した、トランジスタ等の第１及びまたは第２制御スイッチ（図４及び図５に示す）を含み得る。例えば、スイッチ制御信号は、バイパススイッチが開モードで動作されるべきであるとコントローラ２１０、３０２が判断すると低い値の電流または電圧を有し得、バイパススイッチが閉モードで動作されるべきであるとコントローラ２１０、３０２が判断すると高い値の電流または電圧を有し得る。制御スイッチは、低い値の制御信号を受けると閉モードで動作し、高い値の制御信号を受けると閉モードで動作する。従って、制御スイッチは、当該制御スイッチは制御信号を伝導しないことから、バイパススイッチを開モードで動作させる０値を有するようにスイッチ制御信号を改変する。
【００２９】
ある実施例では検出装置２００、３００は、第１及び又は第２の各バイパススイッチ２０６、２０８が受ける高電圧値の信号（広い意味で“電気信号”）を調節するための、第１及びまたは第２の各過電圧コンポーネント（図４及び図５に示す）を含み得る。例えば、検出装置２００は、バイパススイッチのコントローラ側からバイパススイッチのドライバ１０６側へと、バイパススイッチを横断して接続したダイオード（例えば、ツエナーダイオード）を含み得る。当該ダイオードは、バイパススイッチを損傷する恐れのある、コントローラ２１０、３０２とバイパススイッチ２０６、２０８との間に生成され得る高電圧信号を受けないよう当該バイパススイッチを保護する。
【００３０】
検出装置２００、３００は２つの入力チャネルを有するものとして説明したが、これら検出装置２００、３００は２つ以上の入力チャネルを有し得、また、任意数の入力チャネルを有するものには限定されない。追加の各チャネル（以下、“第３チャネル”）を電源１０２に選択的に接続してランプ１０８またはその他装置への給電を行う。例えば、第１及び第２の各入力チャネルを使用して自動車のヘッドランプを賦活させ得、第３入力チャネルを使用して自動車のアクセサリー用ランプを賦活させ得る。他の実施例では第３入力チャネルは自動車の速度制御装置、ワイパー制御装置、ウォッシャ装置、方向指示器あるいはその他の、自動車に関わる出力装置に給電するために使用し得る。
【００３１】
第３の電流検出コンポーネントが、電源１０２とランプ１０８または出力装置との間で第３入力チャネルに接続される。第３の電流検出コンポーネントは第３入力チャネルの提供する電流の関数としての第３の測定可能信号を生成する。第３のバイパススイッチは第３の電流検出コンポーネントと並列状態で第３入力チャネルに接続される。第３バイパススイッチは開モード及び閉モードを有する。第３バイパススイッチはその閉モードでは第３の電流検出コンポーネントをバイパスさせ、第３入力チャネルの提供する電流を伝導させてランプまたは出力装置を賦活させる。
【００３２】
コントローラ２１０、３０２は、第１、第２、第３（即ち、追加の）の各電流検出コンポーネントと、第１、第２、第３（即ち追加の）各バイパススイッチに接続される。コントローラ２１０、３０２は給電中の入力チャネルを測定可能信号（例えば第１、第２、第３の）の関数として識別し、識別した入力チャネルに基づいてバイパススイッチのモードを制御する。詳しくは、コントローラ２１０、３０２は、バイパススイッチに接続した入力チャネルが識別された入力チャネルである場合は各バイパススイッチを制御して閉モードで動作させる。コントローラ２１０、３０２は、バイパススイッチに接続した入力チャネルが識別された入力チャネルではない場合は各バイパススイッチを制御して開モードで動作させる。
【００３３】
上述した如く、検出装置１００、２００、３００は、自動車のヘッドランプシステムにおいて、ヘッドランプに給電中の入力チャネルを識別し、当該ヘッドランプを相当する動作モードで動作させるべく使用可能である。図４には、図３に例示した如き検出装置４００の回路ダイヤグラム図が、当該検出装置を自動車のヘッドランプシステムをハイビーム要素賦活用またはロービーム要素賦活用に使用する実施例が示される。詳しくは、ハイビーム入力チャネルＨＢ及びロービーム入力チャネルＬＢが、ヘッドランプへの給電のためにライン選択スイッチを介して電源に選択的に接続される。検出装置が、ハイビーム入力チャネルＨＢまたはロービーム入力チャネルＬＢの何れが給電中であるかを識別し、当該識別に従い、ヘッドランプのハイビーム要素またはロービーム要素を賦活させる。
【００３４】
ハイビーム電流検出コンポーネント（即ち、ダイオード）がハイビーム入力チャネルＨＢに接続され、ロービーム電流検出コンポーネント（即ち、ダイオード）がロービーム入力チャネルＬＢに接続される。ハイビーム及びロービーム用の各電流検出コンポーネントの電源側にはマイクロコントローラが接続される。マイクロコントローラは、各電流検出コンポーネントの電源側に於ける電圧を分圧コンポーネントＶ１、Ｖ２を介してモニタし、何れのラインがヘッドランプに給電中であるかを判定する。コンポーネントＲ１５及びＲ１６が、ハイビーム電流検出コンポーネントの電源側の電圧を分圧する５：１分圧器Ｖ１を構成する。同様にコンポーネントＲ２５及びＲ２６が、ロービーム電流検出コンポーネントの電源側の電圧を分圧する５：１分圧器Ｖ２を構成する。
【００３５】
ハイビームバイパススイッチがハイビーム電流検出コンポーネントと並列接続（合わせてＱ１と称する）され、ロービームバイパススイッチがロービーム電流検出コンポーネントと並列接続（合わせてＱ２と称する）される。例示した検出装置ではＱ１及びＱ２は各々、本体ダイオード（広い意味で“電流検出コンポーネント）を有するｐタイプの金属酸化膜半導体電界効果型トランジスタ（広い意味で“バイパススイッチ”）である。例えば、Ｑ１及びＱ２はＦａｉｒｃｈｉｌｄ  Ｓｅｍｉｃｏｎｄｕｃｔｏｒ  Ｃｏｒｐｏｒａｔｉｏｎより入手可能なＦＤＤ６６３７  ３５ＶＰ−Ｃｈａｎｎｅｌ  Ｐｏｗｅｒ  Ｔｒｅｎｃｈ  ＭＯＳＦＥＴであり得る。
【００３６】
マイクロコントローラが給電中の入力チャネル（即ち、ハイビーム入力チャネルまたはロービーム入力チャネル）を識別すると、マイクロコントローラの出力を介してスイッチ制御信号を送り、ハイビーム及びロービームの各バイパススイッチの動作モードを制御する。詳しくは、各バイパススイッチは、当該バイパススイッチに接続した入力チャネルが給電中の入力チャネルとして識別された場合は閉モードで動作され、当該バイパススイッチに接続した入力チャネルが給電中の入力チャネルとして識別されない場合は開モードで動作される。従って、ハイビーム入力チャネルがヘッドランプに給電中である場合はハイビームバイパススイッチが閉じて電流を導伝させ、かくして電流はハイビーム電流検出コンポーネントをバイパスする。同様に、ロービーム入力チャネルがヘッドランプに給電中である場合はロービームバイパススイッチが閉じて電流を導伝させ、かくして電流はロービーム電流検出コンポーネントをバイパスする。かくして、バイパススイッチは、電流検出コンポーネントを電流が通過することによる電圧低下及び電力損失を低減させる。
【００３７】
回路コンポーネントＤ３、Ｒ２、Ｄ６、Ｒ２、Ｑ５（合わせて変換器コンポーネントＩ１と称する）は、マイクロコントローラとロービームバイパススイッチとの間に接続され、スイッチ制御信号を、当該スイッチ制御信号がロービームバイパススイッチに受けられる前に変換する。回路コンポーネントＲ１２、Ｒ１３、Ｒ１４、Ｑ３（広い意味で“ハイビーム制御スイッチ”）は、マイクロコントローラのスイッチ出力とハイビームバイパススイッチとの間に接続され、ハイビームＭＯＳＦＥＴ（即ち、バイパススイッチ）のゲートを駆動する。各コンポーネント（Ｒ１２、Ｒ１３、Ｒ１４、Ｑ３）は、決定した動作モードに従い、スイッチ制御信号の電圧レベルをシフトさせてハイビームバイパススイッチを動作させる。回路コンポーネントＲ２２、Ｒ２３、Ｒ２４及びＱ４（広い意味で“ロービーム制御スイッチ”）は、変換器コンポーネントＩ１間に接続され、ロービームＭＯＳＦＥＴ（即ちバイパススイッチ）のゲートを駆動する。各コンポーネント（Ｒ２２、Ｒ２３、Ｒ２４、Ｑ４）は、決定された動作モードに従い、変換されたスイッチ制御信号の電圧レベルをシフトさせてロービームバイパススイッチを動作させる。かくして、変換器コンポーネントＩ１及びハイビーム及びロービームの各ＭＯＳＦＥＴ用のゲート駆動回路により、単一のマイクロコントローラ出力（スイッチ制御信号を介しての）をして、ハイビーム及びロービームの各バイパススイッチを逆のモード（例えば、開モード及び閉モード）で同時に動作せしめ得る。
【００３８】
ハイビーム及びロービーム用の各ＭＯＳＦＥＴ用のゲート駆動回路は、ハイビーム及びロービーム用の各ＭＯＳＦＥＴ用を開放させることにより、入力の極性反転保護をも提供する。ハイビーム及びロービームの各制御スイッチ、Ｑ３、Ｑ４は、夫々バイポーラジャンクショントランジスタ（ＢＪＴ）である。例えば、各制御スイッチは夫々、２Ｎ３９０４ＮＰＮ汎用アンプ及びスイッチであり、Ｆａｉｒｃｈｉｌｄ  Ｓｅｍｉｃｏｎｄｕｃｔｏｒ  Ｃｏｒｐｏｒａｔｉｏｎより入手可能である。
【００３９】
電流検出ダイオード及びダイオードＤ４、Ｄ５により追加的な電圧保護が提供される。電流検出ダイオードは、各入力チャネル内での電源方向への電流流れを防止することで極性反転保護を提供する。ダイオードＤ４（例えば、広い意味で“ハイビーム過電流保護コンポーネント”）及びＤ５（広い意味で“ロービーム過電流保護コンポーネント”）が、ハイビーム及びロービーム用の各ＭＯＳＦＥＴのゲート及びドレンの間に接続される。詳しくは、ダイオードＤ４、Ｄ５は夫々、相当するＭＯＳＦＥＴのゲート位置の電圧が１４Ｖを越えないようにして過電流保護を提供するツエナーダイオードである。
【００４０】
図５に図４に関連して説明した如き検出装置５００と、当該検出装置と共に使用する、本発明の１実施例に従う自動車用ヘッドランプシステムの部分ブロック及び回路ダイヤグラム図が示される。ヘッドランプシステムには、バッテリー（例えば１２ボルトの）と、入力ライン選択スイッチ（図示せず）とが含まれる。入力ラインスイッチはハイビーム入力チャネルまたはロービーム入力チャネルの何れかをバッテリーに接続してヘッドランプ５０８に電流を提供させる。例示実施例ではヘッドランプ５０８は２組の発光ダイオード（ＬＥＤ）からなる。第１組のＬＥＤには、ＬＥＤ５１０の第１ストリングが含まれ、第２組のＬＥＤにはＬＥＤ５１２の第２ストリングが含まれる。２組のＬＥＤには、ＬＥＤの、例示されない追加のストリングを含むその他のＬＥＤ組み合わせが含まれ得る。例えば、第１組のＬＥＤにはＬＥＤ５１０のストリングが含まれ得、第２組のＬＥＤにはＬＥＤ５１０、５１２の第１及び第２の各ストリングが含まれ得る。更には、第１及び第２組の各ＬＥＤは、１つ以上のストリングに配列したＬＥＤには限定されない。例えば、ＬＥＤはチップ、パッケージ内の包入した一組のチップ、パッケージ化したチップの群、チップまたはパッケージの列、及びまたはその他形態で配列され得る。
【００４１】
バッテリーからの電流は、ハイビームまたはロービームの各入力チャネルに夫々連結したフィルタリングコンポーネントＦ１、Ｆ２を介してフィルタ処理（例えば、ノイズ除去、電磁干渉）される。次いで電流は入力チャネルを介して検出装置５００、追加的なフィルタリングコンポーネントＬ１、Ｃ１５、Ｃ４１、を経てドライバ５０６に入る。ドライバ５０６はＬＥＤ５１０、５１２に送られる電流を規制し、特には、これらＬＥＤ５１０、５１２に一定電流を提供する。例えば、ドライバはＯｓｒａｍ  Ｓｙｌｖａｎｉａ社より入手可能な定電流ＬＥＤドライバ（例えば、Ａ５４２０１Ｂ）であり得る。ドライバ５０６からの定電流はヘッドランプ５０８の陽極に送られる。
【００４２】
図４を参照して説明したように、検出装置５００はハイビーム入力チャネルまたはロービーム入力チャネルの何れがヘッドランプ５０８に給電中であるかを識別し、当該識別に基づいてＬＥＤ５１０、５１２を制御する。詳しくは、マイクロコントローラは、ＬＥＤ５１０の第１ストリングを制御する出力と、ＬＥＤ５１２の第２ストリングを制御する他の出力とを有する。マイクロコントローラは、ロービーム入力チャネルがヘッドランプ５０８に給電中であると識別すると、ＬＥＤ５１０の第１ストリングに接続したスイッチを閉じ、ＬＥＤ５１２の第２ストリングに接続したスイッチを開状態に維持して第１組のＬＥＤ５１０を賦活させ、かくしてヘッドランプ５０８をロービーム動作モードで動作させる。マイクロコントローラは、ハイビーム入力チャネルがヘッドランプ５０８に給電中であると識別すると、ＬＥＤ５１０の第１ストリングに接続したスイッチを開状態に維持し、ＬＥＤ５１２の第２ストリングに接続したスイッチを閉じて第２組のＬＥＤ５１２を賦活させ、かくしてヘッドランプ５０８をハイビーム動作モードで動作させる。
【００４３】
以上、本発明を実施例を参照して説明したが、本発明の内で種々の変更をなし得ることを理解されたい。
ここで、本発明または好ましい実施例の各要素に関して用いる“１つの”、“この”、“前記”等はそれら要素が１つ以上であることを意味するものとする。ここで、“含む”、“有する”等は包含を意図したものであると共に、列挙した各要素以外に追加的な要素が存在し得ることを意味するものとする。
【符号の説明】
【００４４】
１００  検出装置
１０２  電源
１０４  入力選択スイッチ
１０６  ドライバ
１０８  ランプ
１１０  電流検出コンポーネント
１１２  バイパススイッチ
１１４  コントローラ
２００  検出装置
２０２  第１電流検出コンポーネント
２０４  第２電流検出コンポーネント
２０６  第１バイパススイッチ
２０８  第２バイパススイッチ
２１０  コントローラ
３００  検出装置
３０２  コントローラ
３０４  変換器コンポーネント
４００、５００  検出装置
５０６  ドライバ
５０８  ヘッドランプ
ＨＢ  ハイビーム入力チャネル
ＬＢ  ロービーム入力チャネル
Ｖ１、Ｖ２  分圧コンポーネント
Ｄ３、Ｒ１２、Ｒ２２  回路コンポーネント
Ｉ１  変換器コンポーネント
Ｄ４、Ｄ５    ダイオード
Ｆ１  フィルタリングコンポーネント
【図１】
2011518069.tif 000003
【図２】
2011518069.tif 000004
【図３】
2011518069.tif 000005
【図４】
2011518069.tif 000006
【図５】
2011518069.tif 000007
【国際調査報告】
2011518069.tif 000008
2011518069.tif 000009